(57)【要約】【課題】屋根面材の支持構造が簡単化できて取付精度が確保できるとともに、屋根全体の水勾配に沿った長さ寸法が大きくても施工性を向上させることができる屋根を提供すること。【解決手段】水上側屋根面状体１０Ａと水下側屋根面状体１０Ｂとに段差が形成されているので、この段差によって水上側屋根面状体１０Ａから水下側屋根面状体１０Ｂ側に下がった水勾配が形成される。屋根面状体１０が水上側屋根面状体１０Ａと水下側屋根面状体１０Ｂとに分割されているので、水勾配に沿った長さ寸法が大きい屋根であっても、各面状体１０Ａ，１０Ｂを構成するパネル１４や側方支持部材１５等の各部材の長さ寸法を小さくすることができ、各部材を作業者が扱いやすくなり、例えば一人の作業者によって屋根の組立作業を実施することも可能になり、施工性を向上させることができる。【選択図】図３
2008297771.tif 000002
【特許請求の範囲】
【請求項１】
水上側から水下側に向かって延びる少なくとも一対の主支持部材と、当該主支持部材の上側に支持される屋根面状体とを備えた屋根であって、
前記屋根面状体は、水上側に設置される水上側面状体と、この水上側面状体よりも水下側に設置される水下側面状体とを少なくとも有し、これらの水上側面状体および水下側面状体は、それぞれ屋根面材と、この屋根面材における前記主支持部材と平行な側端縁を支持する側方支持部材とを有して構成され、
前記水下側面状体の前記側方支持部材は、前記主支持部材上に支持され、前記水上側面状体の前記側方支持部材は、所定の高さ寸法を有した副支持部材を介して前記主支持部材上に支持され、前記水下側面状体に対して前記水上側面状体が上方に位置するような段差が設けられている屋根。
【請求項２】
前記副支持部材は、前記主支持部材と交差する方向に延びるとともに当該一対の主支持部材間に渡って架設される長尺部材であり、この副支持部材に交差して前記水上側面状体の側方支持部材が支持されている請求項１に記載の屋根。
【請求項３】
前記副支持部材の上面には、前記水上側面状体の屋根面材の下面に当接可能な弾性体からなる当接部が設けられている請求項２に記載の屋根。
【請求項４】
前記副支持部材は、前記主支持部材に沿った方向に延びるとともに当該主支持部材の上面に固定される長尺部材であり、この副支持部材に沿って前記水上側面状体の側方支持部材が支持されている請求項１に記載の屋根。
【請求項５】
前記副支持部材は、前記主支持部材に沿った複数箇所に設置され当該主支持部材の上面に固定されるピース部材であり、これら複数の副支持部材に渡って前記水上側面状体の側方支持部材が支持されている請求項１に記載の屋根。
【請求項６】
前記一対の主支持部材の各々に設けられた前記一対の副支持部材間に渡って母屋材が架設され、この母屋材の上面には、前記水上側面状体の屋根面材の下面に当接可能な弾性体からなる当接部が設けられている請求項４または請求項５に記載の屋根。
【発明の詳細な説明】
【技術分野】
【０００１】
本発明は、屋根に関し、詳しくは、主支持部材の上側に支持される屋根面状体を備えた屋根に関する。
【背景技術】
【０００２】
従来、屋外に設けられるカーポートやテラス、サンルーム、アプローチ等の屋外構造物に設置される屋根であって、片持ち状の梁（母屋受け）等の支持材と、この支持材に交差して支持材の上側に設置される複数の母屋と、これらの母屋の上側に設置される屋根面材（屋根板）とを有する屋根構造が提案されている（例えば、特許文献１参照）。
特許文献１に記載された屋根構造では、樹脂製の屋根面材が上向き凸な全体曲面状に加工されて水下側に下がり勾配を有して設置され、この屋根面材の側端縁を把持する垂木（屋根板連結部材）を母屋に固定することで、この垂木を介して屋根面材が母屋上に支持されている。そして、垂木は、母屋に固定される受け材と、屋根面材の側端縁を上方から押さえる押え材とで構成されるとともに、屋根面材と略同一の長さ寸法かつ曲面形状を有して形成されている。さらに、母屋を支持する支持材も全体曲線状に曲げ加工され、各母屋を所定の高さ位置で支持できるように形成されている。
【０００３】
【特許文献１】特開２０００−２０４６５９号公報
【発明の開示】
【発明が解決しようとする課題】
【０００４】
しかしながら、従来の屋根構造では、支持材、垂木および屋根面材の各々が曲げ加工により曲面状に形成され、互いの取付位置に応じた所定の曲率となるように加工する必要があるため、高い加工精度が要求されることから製造コストが増加してしまうという問題がある。特に、金属製の支持材、垂木と、樹脂製の屋根面材とでは、曲げ加工による形成される曲率の誤差が生じやすく、このような加工誤差や取付誤差に伴って各部材間に隙間が発生してしまうと、雨水等が屋根面材の下方に漏れる可能性もある。
また、従来の屋根構造では、水勾配に沿った各屋根面材の長さ寸法が屋根全体の幅寸法（つまり車両の幅方向に対応する寸法）と略同一に設定されており、屋根面材一枚当たりの長さ寸法が比較的大きくなってしまうことから、前述の加工精度の確保がさらに困難になるとともに、各部材の運搬、取り付け等の取扱いも困難になって施工性の低下を招いてしまう。また、例えば、屋根全体の奥行き方向（つまり車両の前後方向）に屋根面材の水勾配を形成しようとすると、屋根面材の長さ寸法がさらに大きくなることから、加工誤差の増大および施工性の悪化がより一層顕著になる。
【０００５】
本発明の目的は、屋根面材の支持構造が簡単化できて取付精度が確保できるとともに、屋根全体の水勾配に沿った長さ寸法が大きくても施工性を向上させることができる屋根を提供することにある。
【課題を解決するための手段】
【０００６】
本発明の屋根は、水上側から水下側に向かって延びる少なくとも一対の主支持部材と、当該主支持部材の上側に支持される屋根面状体とを備えた屋根であって、前記屋根面状体は、水上側に設置される水上側面状体と、この水上側面状体よりも水下側に設置される水下側面状体とを少なくとも有し、これらの水上側面状体および水下側面状体は、それぞれ屋根面材と、この屋根面材における前記主支持部材と平行な側端縁を支持する側方支持部材とを有して構成され、前記水下側面状体の前記側方支持部材は、前記主支持部材上に支持され、前記水上側面状体の前記側方支持部材は、所定の高さ寸法を有した副支持部材を介して前記主支持部材上に支持され、前記水下側面状体に対して前記水上側面状体が上方に位置するような段差が設けられていることを特徴とする。
【０００７】
以上の本発明によれば、副支持部材を介して水上側面状体が支持され、副支持部材の高さ寸法分の段差が水上側面状体と水下側面状体とに設けられるので、水上側面状体上の雨水等が水下側面状体側に落下することとなり、屋根全体として水上側から水下側に下がった水勾配が形成される。ここで、水上側面状体と水下側面状体とは、少なくとも一対で設けられていればよく、すなわち、一の水上側面状体のさらに水上側に他の水上側面状体を設けてもよく、この場合には前記一の水上側面状体を水下側面状体とみなすことができ、逆に一の水下側面状体のさらに水下側に他の水下側面状体を設けた場合には前記一の水下側面状体を水上側面状体とみなすことができる。このように、屋根の水上側から水下側に向かう全長に関して、複数の面状体を設置して屋根全体としての水勾配を形成することで、個々の面状体（屋根面材や側方支持部材）を作業者が扱いやすい長さ寸法に設定することができ、例えば一人の作業者によって屋根の組立作業を実施することも可能になり、屋根全体の水勾配に沿った長さ寸法が大きくても施工性を向上させることができる。
また、水上側面状体および水下側面状体の各々の長さ寸法を適宜に設定して水勾配を形成することが可能になるので、従来の屋根構造のように水勾配全長に渡る長さ寸法に屋根面材を形成したり、この屋根面材や垂木を曲面状に加工したりする必要がなくなり、加工誤差や取付誤差が生じにくくでき、かつ製造コストが低減できる。さらに、副支持部材を用いて段差（つまり水勾配）を形成したことで、水勾配に沿った傾斜や段差を主支持部材に形成する必要がなく、従来の支持材のような曲げ加工が不要になるため、製造コストのさらなる低減が可能になる。
【０００８】
この際、本発明の屋根では、前記副支持部材は、前記主支持部材と交差する方向に延びるとともに当該一対の主支持部材間に渡って架設される長尺部材であり、この副支持部材に交差して前記水上側面状体の側方支持部材が支持されていることが好ましい。
この際、本発明の屋根では、前記副支持部材の上面には、前記水上側面状体の屋根面材の下面に当接可能な弾性体からなる当接部が設けられていることが好ましい。
このような構成によれば、主支持部材と交差して副支持部材（母屋）を架設し、この副支持部材で水上側面状体を支持することで、一般的な屋根の支持構造と同様の母屋を用いて水上側面状体を取り付けることができ、各部の部品や取付手順の標準化を図ることができる。さらに、副支持部材の上面に当接部を設け、この当接部を水上側面状体の屋根面材の下面に当接させれば、屋根面材の撓みを防止して風や積雪に対する強度を高めることができる。
【０００９】
また、本発明の屋根では、前記副支持部材は、前記主支持部材に沿った方向に延びるとともに当該主支持部材の上面に固定される長尺部材であり、この副支持部材に沿って前記水上側面状体の側方支持部材が支持されていてもよい。
さらに、本発明の屋根では、前記副支持部材は、前記主支持部材に沿った複数箇所に設置され当該主支持部材の上面に固定されるピース部材であり、これら複数の副支持部材に渡って前記水上側面状体の側方支持部材が支持されていてもよい。
この際、本発明の屋根では、前記一対の主支持部材の各々に設けられた前記一対の副支持部材間に渡って母屋材が架設され、この母屋材の上面には、前記水上側面状体の屋根面材の下面に当接可能な弾性体からなる当接部が設けられていることが好ましい。
このような構成によれば、主支持部材に沿って副支持部材を設けた場合には、副支持部材が目立たないようにできて屋根の意匠性を高めることができ、さらに、副支持部材をピース部材とすれば、使用材料を削減して製造コストの低減を図ることができる。そして、副支持部材間に渡って架設した母屋材の上面に当接部を設け、この当接部を水上側面状体の屋根面材の下面に当接させれば、屋根面材の撓みを防止して風や積雪に対する強度を高めることができる。
【発明を実施するための最良の形態】
【００１０】
以下、本発明の実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１１】
図１は、本発明の実施形態に係る屋根１を示す斜視図である。図２は、屋根１を示す側面図である。
図１および図２において、屋根１は、屋外に設けられるカーポートの空間上方を覆うものであって、地面から立設された２本の支柱２と、これらの支柱２の上端から略水平に延びる支持梁３と、これらの支持梁３の上側に固定される屋根本体４とを備えて構成されている。２本の支柱２のうち、車両が出入りする一方である前方側（図２の左側）の支柱２が他方である後方側（図２の右側）の支柱２よりも長く形成され、すなわち前方側の支持梁３が後方側の支持梁３よりも高い位置に設けられ、屋根本体４が前方から後方に向かって下がり勾配となる傾斜を有して設置されている。屋根本体４は、前方側の前枠５と、後方側の後枠６と、前枠５と後枠６とを連結する左右一対の側枠７と、前枠５と後枠６との間に架け渡される複数の主垂木８（後述する図３〜図６参照）と、前枠５、後枠６および側枠７を四周枠組みした内部かつ主垂木８の上側に支持された屋根面状体１０とを備えて構成されている。そして、屋根本体４における前方側（前枠５側）が水上側とされ、後方側（後枠６側）が水下側とされ、水下側の端部に位置する後枠６には、屋根面状体１０上に降った雨水等を集水して排水するための雨樋６Ａ（図３参照）が設けられている。
【００１２】
〔第１実施形態〕
次に、第１実施形態に係る屋根本体４の構造を図３〜図７に基づいて説明する。
図３および図４は、それぞれ屋根本体４を示す縦断面図である。図５および図６は、それぞれ屋根本体４を簡略化して示す分解斜視図である。図７(Ａ)，(Ｂ)は、それぞれ屋根本体４の要部を拡大して示す縦断面図である。
屋根本体４において、前枠５、後枠６および側枠７は、それぞれ略同一高さ寸法を有したアルミ形材製の長尺部材であり、前枠５および側枠７は、中空断面を有して形成され、後枠６は、上方に開口した略コ字形断面を有して形成されている。そして、後枠６のコ字形溝部によって雨樋６Ａが構成されている。また、側枠７は、図４に示すように、上部の断面寸法が小さくかつ下部の断面寸法が大きな全体段付き角筒状断面に形成されており、その下部の幅広断面部分７Ａ（図７参照）の上側に屋根面状体１０が支持されるようになっている。また、主垂木８は、アルミ形材製の長尺部材であり、前枠５、後枠６および側枠７と下端面が揃えられるとともに側枠７の幅広断面部分７Ａと上端面が揃えられた角筒状断面を有して形成され、この主垂木８の上側に屋根面状体１０が支持されるようになっている。以上の側枠７および主垂木８によって本発明の主支持部材が構成されている。
【００１３】
屋根面状体１０は、屋根本体４全体のうち、水上側の略半分の範囲に設置される水上側屋根面状体１０Ａと、水下側の略半分の範囲に設置される水下側屋根面状体１０Ｂと、水上側屋根面状体１０Ａと水下側屋根面状体１０Ｂとの間に設置され水上側から水下側に向かう方向と交差して延びる交差支持部材である中母屋１１とを備えて構成されている。水上側屋根面状体１０Ａと水下側屋根面状体１０Ｂとは、水上側屋根面状体１０Ａよりも下方に水下側屋根面状体１０Ｂが位置するような段差を有して設置されている。すなわち、側枠７の幅広断面部分７Ａ上面および主垂木８の上面には、一対の側枠７間に渡って副支持部材としての水上側母屋１２が適宜な間隔で複数本架設されており、水上側屋根面状体１０Ａは、水上側母屋１２の上側に支持され、水下側屋根面状体１０Ｂは、側枠７の幅広断面部分７Ａおよび主垂木８の上面位置に支持されている。また、水下側屋根面状体１０Ｂの下側において、側枠７と主垂木８との間および主垂木８同士の間には、水下側母屋１３が適宜な間隔で複数本架設されている。
【００１４】
水上側屋根面状体１０Ａおよび水下側屋根面状体１０Ｂは、ぞれぞれ複数（例えば、図１に示すように４枚）の屋根面材（屋根ふき材）であるパネル１４（水上側パネル１４Ａおよび水下側パネル１４Ｂ）と、両端側のパネル１４の側端縁を挟持して支持する両端側の側方支持部材１５と、互いに隣接したパネル１４の側端縁を支持する中間部の側方支持部材１６とを有して構成されている。パネル１４は、透明または半透明の樹脂製板材であり、水上側から水下側に向かって長い長方形状に形成されている。なお、パネル１４は、樹脂製に限らず、アルミ等の金属製であってもよいし、アルミと樹脂との複合材であってもよく、また透明や半透明ではなく不透明な板材であってもよい。そして、図３に示すように、水上側屋根面状体１０Ａにおいて、水上側パネル１４Ａの水上側端縁は、前枠５のパネル保持部５Ａ，５Ｂに上下から把持されて支持され、水上側パネル１４Ａの水下側端縁は、中母屋１１の第１支持部１１Ａに上下から把持されて支持されている。一方、水下側屋根面状体１０Ｂにおいて、水下側パネル１４Ｂの水上側端縁は、中母屋１１の第２支持部１１Ｂに上下から把持されて支持され、水下側パネル１４Ｂの水下側端縁は、後枠６のパネル保持部６Ｂ，６Ｃに上下から把持されて支持されている。
【００１５】
また、図４に示すように、パネル１４の側端縁を支持する側方支持部材１５は、パネル１４の下面に止水材を介して当接する第１側方支持部材１５Ａ（垂木）と、パネル１４の上面に止水材を介して当接する第２側方支持部材１５Ｂ（屋根ふき材押え）とを有して構成され、第１側方支持部材１５Ａに第２側方支持部材１５Ｂがビス止め固定されることで、パネル１４を挟持して支持するようになっている。そして、水上側屋根面状体１０Ａにおいて、側方支持部材１５の第１側方支持部材１５Ａは、その水上側端部が前枠５に固定され、その中間位置が水上側母屋１２の上側に固定されるとともに、その水下側端部が中母屋１１に支持されており、第２側方支持部材１５Ｂは、その側端縁に取り付けられた止水材を側枠７の内側面７Ｂ（図７参照）上部の突起７Ｃに当接させた状態で第１側方支持部材１５Ａに固定されている。また、水下側屋根面状体１０Ｂにおいて、側方支持部材１５の第１側方支持部材１５Ａは、側枠７の幅広断面部分７Ａ上面に固定されており、第２側方支持部材１５Ｂは、その水上側端縁を中母屋１１のパッキンに当接させるとともに、その側端縁に取り付けた止水材を側枠７の内側面７Ｂ下部の突起７Ｄに当接させた状態で第１側方支持部材１５Ａに固定されている。すなわち、側枠７上部の内側面７Ｂには、上下２列の突起７Ｃ，７Ｄが形成されており、上側の突起７Ｃが水上側屋根面状体１０Ａにおける第２側方支持部材１５Ｂの側方に位置し、下側の突起７Ｄが水下側屋根面状体１０Ｂにおける第２側方支持部材１５Ｂの側方に位置するように設けられている。
【００１６】
一方、隣接したパネル１４の各側端縁を支持する中間部の側方支持部材１６は、パネル１４の下面に止水材を介して当接する第１側方支持部材１６Ａ（垂木）と、パネル１４の上面に止水材を介して当接する第２側方支持部材１６Ｂ（屋根ふき材押え）とを有して構成され、第１側方支持部材１６Ａに第２側方支持部材１６Ｂがビス止め固定されることで、両側のパネル１４を挟持して支持するようになっている。そして、水上側屋根面状体１０Ａにおいて、側方支持部材１６の第１側方支持部材１６Ａは、その水上側端部が前枠５に固定され、その中間位置が水上側母屋１２の上側に固定されるとともに、その水下側端部が中母屋１１に支持されている。また、水下側屋根面状体１０Ｂにおいて、側方支持部材１６の第１側方支持部材１６Ａは、主垂木８の上面に固定されており、第２側方支持部材１５Ｂは、その水上側端縁を中母屋１１の第２支持部１１Ｂに設けた弾性シール材に当接させた状態で第１側方支持部材１６Ａに固定されている。
【００１７】
以上の屋根本体４において、水上側母屋１２は、主支持部材である側枠７および主垂木８と交差する方向に延びるとともに、主垂木８の上面に支持されて側枠７間に渡って架設されるアルミ形材製の長尺部材であって、この水上側母屋１２の上側に水上側屋根面状体１０Ａの側方支持部材１５，１６が固定されている。そして、水上側母屋１２の上面には、当接部としての弾性シール材１２Ａが取り付けられている。
一方、水下側母屋１３は、水上側母屋１２と同一断面を有したアルミ形材製の長尺部材であって、この水下側母屋１３の上面には、当接部としての弾性シール材１３Ａが取り付けられている。
これらの水上側母屋１２および水下側母屋１３の弾性シール材１２Ａ，１３Ａは、側方支持部材１５，１６により押しつぶされて第１側方支持部材１５Ａ，１６Ａ下面に密接するとともに、それぞれ水上側屋根面状体１０Ａの水上側パネル１４Ａおよび水下側屋根面状体１０Ｂの水下側パネル１４Ｂ下面に当接するようになっている。このように弾性シール材１２Ａ，１３Ａがパネル１４に当接することで、パネル１４の撓みが防止できるようになっている。
【００１８】
このような本実施形態によれば、以下のような効果がある。
（１）すなわち、屋根本体４を構成する屋根面状体１０の水上側屋根面状体１０Ａと水下側屋根面状体１０Ｂとに段差が形成されているので、この段差によって水上側屋根面状体１０Ａ上の雨水が水下側屋根面状体１０Ｂ側に流れ、屋根全体として水上側から水下側に下がった水勾配が形成される。屋根面状体１０が水上側屋根面状体１０Ａと水下側屋根面状体１０Ｂとに分割されているので、カーポート等の奥行き寸法（前枠５から後枠６へ至る長さ寸法）が大きい屋根１であっても、各面状体１０Ａ，１０Ｂを構成するパネル１４や側方支持部材１５，１６等の各部材の長さ寸法を小さくすることができる。従って、各部材を作業者が扱いやすくなり、例えば一人の作業者によって屋根１の組立作業を実施することも可能になり、施工性を向上させることができる。
【００１９】
（２）また、水上側面状体１０Ａおよび水下側面状体１０Ｂの各々の長さ寸法を適宜に設定することができるので、従来の屋根構造のように水勾配全長に渡る長さ寸法に屋根面材を形成したり、この屋根面材や垂木を曲面状に加工したりする必要がなくなり、パネル１４や側方支持部材１５，１６の加工誤差や取付誤差が生じにくくできるとともに、かつ製造コストを低減することができる。さらに、水上側母屋１２を用いて水上側面状体１０Ａが上方に位置する段差が形成されるので、水勾配に沿った傾斜や段差を主垂木８に形成する必要がなく、従来の支持材のような曲げ加工が不要になるため、製造コストのさらなる低減が可能になる。
【００２０】
（３）また、水上側母屋１２および水下側母屋１３の弾性シール材１２Ａ，１３Ａを、それぞれ水上側パネル１４Ａおよび水下側パネル１４Ｂの下面に当接させ、これらのパネル１４の撓みを防止したことで、風や積雪に対する強度を高めることができ、必要以上にパネル１４の長さ寸法を短く形成する必要がなくなり、部材点数の削減を図ることができる。
【００２１】
〔第２実施形態〕
次に、第２実施形態に係る屋根本体４Ａの構造を図８に基づいて説明する。
図８は、屋根本体４Ａの一部を簡略化して示す分解斜視図である。
本実施形態の屋根本体４Ａは、前記第１実施形態の屋根本体４と比較して副支持部材の構成が相違するもので、その他の構成は第１実施形態と略同一である。以下、相違点について詳しく説明する。
【００２２】
図８において、屋根本体４Ａは、前記第１実施形態の屋根本体４と同様に主支持部材としての側枠７および主垂木８と、中母屋１１とを備え、水下側面状体１０Ｂ側においては、側方支持部材１５が側枠７の幅広断面部分７Ａ上面に固定され、側方支持部材１６が主垂木８の上面に固定され、側枠７と主垂木８との間および主垂木８同士の間に水下側母屋１３が架設されている。一方、水上側屋根面状体１０Ａ側において、側枠７の幅広断面部分７Ａ上面および主垂木８上面のそれぞれに沿って、副支持部材としての副垂木１７が設けられている。これらの副垂木１７は、前枠５から中母屋１１まで至る長さ寸法を有した断面角形中空状のアルミ形材製であって、適宜な固定手段によって側枠７および主垂木８に固定されている。そして、水上側屋根面状体１０Ａの側方支持部材１５，１６が副垂木１７上に固定されている。また、隣接する副垂木１７間には、水下側母屋１３と同一断面を有した水上側母屋１８が架設され、この水上側母屋１８の上面には、前記水上側母屋１２や水下側母屋１３の弾性シール材１２Ａ，１３Ａと同様の弾性シール材（当接部）が取り付けられ、水上側パネル１４Ａの下面に当接するようになっている。
【００２３】
なお、本実施形態の屋根本体４Ａにおいて、副垂木１７と水上側母屋１８とは、図９に示すように、水上側母屋１８が通しで配置され、副垂木１７が適宜に分割されて配置されていてもよい。すなわち、水上側母屋１８が一対の側枠７間に渡って主垂木８の上側に架設され、この水上側母屋１８位置にてが分割された複数の副垂木１７が側枠７の幅広断面部分７Ａ上面および主垂木８上面に固定されている。
さらに、屋根本体４Ａにおいて、水上側母屋１８は、図１０に示すように省略されてもよく、このように水上側母屋１８を省略しても、副垂木１７によって水上側屋根面状体１０Ａを支持できるようになっている。
【００２４】
このような本実施形態によれば、前記（１）〜（３）の効果に加えて、以下のような効果がある。
（４）すなわち、副垂木１７によって水上側屋根面状体１０Ａを支持すれば、主垂木８と側方支持部材１５，１６との隙間が副垂木１７によって塞がれることで、屋根１の意匠性を高めることができる。さらに、水上側パネル１４Ａの大きさによっては水上側母屋１８を省略することができ、屋根１を下方から見上げた場合や、透明なパネル１４を採用して上方から見下げた場合の意匠性を一層向上させることができる。
【００２５】
〔第３実施形態〕
次に、第３実施形態に係る屋根本体４Ｂの構造を図１１に基づいて説明する。
図１１は、屋根本体４Ｂの一部を簡略化して示す分解斜視図である。
本実施形態の屋根本体４Ｂは、前記第１および第２実施形態の屋根本体４，４Ａと比較して副支持部材の構成が相違するもので、その他の構成は第１および第２実施形態と略同一である。以下、相違点について詳しく説明する。
【００２６】
図１１において、屋根本体４Ｂは、前記第１および第２実施形態の屋根本体４，４Ａと同様に主支持部材としての側枠７および主垂木８と、中母屋１１とを備え、水下側面状体１０Ｂ側は、屋根本体４，４Ａと略同一の構成を備えている。一方、屋根本体４Ｂにおける水上側屋根面状体１０Ａ側において、側枠７の幅広断面部分７Ａ上面および主垂木８上面のそれぞれには、副支持部材としての複数のピース部材１９が側枠７および主垂木８に固定されている。これらのピース部材１９は、前記副垂木１７を適宜な短尺状に切断したものであって、前枠５近傍、中母屋１１近傍、および前枠５と中母屋１１との中間部分の複数箇所に設置されている。そして、水上側屋根面状体１０Ａの側方支持部材１５，１６がピース部材１９上に固定されている。また、中間部分の隣接するピース部材１９間には、前記屋根本体４Ａと同様の水上側母屋１８が架設されている。
なお、本実施形態の屋根本体４Ｂにおいて、水上側母屋１８は、図１２に示すように省略されてもよく、このように水上側母屋１８を省略しても、ピース部材１９によって水上側屋根面状体１０Ａを支持できるようになっている。
【００２７】
このような本実施形態によれば、前記（１）〜（３）の効果に加えて、以下のような効果がある。
（５）すなわち、ピース部材１９によって水上側屋根面状体１０Ａを支持すれば、副支持部材の長さを最小限にでき、使用材料を削減して製造コストのさらなる低減を図ることができる。さらに、水上側母屋１８を省略することで、屋根１を下方から見上げた場合や、透明なパネル１４を採用して上方から見下げた場合の意匠性を一層向上させることができる。
【００２８】
なお、本発明は、前記実施形態に限定されるものではなく、本発明の目的が達成できる他の構成等を含み、以下に示すような変形等も本発明に含まれる。
例えば、前記実施形態においては、カーポート等に設置される屋根１について説明したが、本発明の屋根としては、カーポート等に限らず、任意の場所に設置されるものでよく、また支柱２や支持梁３に支持されたものに限らず、建物の外壁面等から片持ち状に突出した庇等に用いられる屋根であってもよく、さらには適宜な支持材によって吊り下げ支持された屋根であってもよい。
また、前記実施形態では、屋根面状体１０が水上側屋根面状体１０Ａと水下側屋根面状体１０Ｂとで構成され、一段の段差が設けられていたが、これに限らず、２段以上の複数の段差が設けられていてもよい。
【００２９】
２段以上の段差を設けたものとしては、例えば、図１３に示すような屋根本体４Ｃが例示できる。この屋根本体４Ｃでは、主支持部材としての側枠７や主垂木８の上面に前記図８の屋根本体４Ａと同様の１段目の副垂木１７が固定され、さらに副垂木１７の上面に２段目の副垂木１７が固定されている。そして、２段目の副垂木１７上に水上側屋根面状体１０Ａが支持され、この水上側屋根面状体１０Ａの両側における１段目の副垂木１７上に水下側屋根面状体１０Ｂが支持されている。さらに、水下側屋根面状体１０Ｂよりも水下側における側枠７や主垂木８の上面に最下段の水下側屋根面状体１０Ｃが支持されている。
この屋根本体４Ｃのような構成を用いれば、水勾配の傾斜角度や片流れあるいは両流れの勾配など、任意の屋根勾配を有した屋根が設計可能となり、その場合でも前述した各効果を得ることができる。
【００３０】
さらに、前記実施形態では、水上側屋根面状体１０Ａおよび水下側屋根面状体１０Ｂが、それぞれ複数のパネル１４、側方支持部材１５，１６を有して構成されていたが、側方支持部材１５，１６は、必須ではなく適宜省略されてもよい。すなわち、水上側屋根面状体１０Ａおよび水下側屋根面状体１０Ｂを、それぞれ単一のパネル１４で構成してもよく、この場合には、中間部の側方支持部材１６が省略可能であり、またパネル１４の側端縁を側枠７などで直接支持するようにすれば、両側の側方支持部材１５が省略可能である。
また、前記実施形態では、水上側屋根面状体１０Ａと水下側屋根面状体１０Ｂとの間に中母屋１１を設け、この中母屋１１によって段差部分を連結したが、段差部分の連結構造としては任意の構造が利用できる。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３２】
【図１】本発明の実施形態に係る屋根を示す斜視図である。
【図２】前記屋根を示す側面図である。
【図３】第１実施形態に係る屋根本体を示す縦断面図である。
【図４】前記屋根本体を示す図３と交差した方向の縦断面図である。
【図５】前記屋根本体を簡略化して示す分解斜視図である。
【図６】前記屋根本体を簡略化して示す分解斜視図である。
【図７】(Ａ)，(Ｂ)は、屋根本体の要部を示す縦断面図である。
【図８】第２実施形態に係る屋根本体を簡略化して示す分解斜視図である。
【図９】第２実施形態の変形例を示す分解斜視図である。
【図１０】図９とは異なる第２実施形態の変形例を示す分解斜視図である。
【図１１】第３実施形態に係る屋根本体を簡略化して示す分解斜視図である。
【図１２】第３実施形態の変形例を示す分解斜視図である。
【図１３】本発明の変形例に係る屋根本体を簡略化して示す側面図である。
【符号の説明】
【００３３】
１…屋根、１０…屋根面状体、１０Ａ…水上側屋根面状体、１０Ｂ…水下側屋根面状体、１２…水上側母屋（副支持部材）、１２Ａ…弾性シール材（当接部）、１４…パネル（面材）、１４Ａ…水上側パネル、１４Ｂ…水下側パネル、１５，１６…側方支持部材、１７…副垂木（副支持部材）、１８…水上側母屋（母屋材）、１９…ピース部材（副支持部材）。
【図１】
2008297771.tif 000003
【図２】
2008297771.tif 000004
【図３】
2008297771.tif 000005
【図４】
2008297771.tif 000006
【図５】
2008297771.tif 000007
【図６】
2008297771.tif 000008
【図７】
2008297771.tif 000009
【図８】
2008297771.tif 000010
【図９】
2008297771.tif 000011
【図１０】
2008297771.tif 000012
【図１１】
2008297771.tif 000013
【図１２】
2008297771.tif 000014
【図１３】
2008297771.tif 000015